(57)【特許請求の範囲】
【請求項１】
それぞれが階層構造を構成する、異なる複数の属性に対応する属性データが割り当てられたコンテンツデータが記録される記録手段と、
前記コンテンツデータを再生する再生手段と、
ディスプレイと、
前記コンテンツデータを再生する際に、当該コンテンツデータに割り当てられた複数の属性データを有する再生中の画面を前記ディスプレイに表示させ、前記再生中の画面が有する複数の属性データのうち１つが選択された場合に、前記再生中の画面から当該選択された属性データに応じて予め決定された階層の属性のリストに前記ディスプレイの表示内容を切り替える制御手段と、
を有する電子機器。
【請求項２】
入力手段
を更に有し、
前記制御手段は、前記コンテンツデータを再生する際に、当該コンテンツデータに割り当てられた複数の属性データを表示する再生中の画面を前記ディスプレイに表示させ、前記入力手段によって前記再生中の画面に表示される複数の属性データのうち１つが選択された場合に、前記再生中の画面から当該選択された属性データに応じて予め決定された階層の属性のリストに前記ディスプレイの表示内容を切り替える
請求項１に記載の電子機器。
【請求項３】
前記制御手段は、コンテンツデータの再生中に前記選択された属性データに応じて予め決定された階層の属性のリストに前記ディスプレイの表示内容を切り替えた後でも、再生中のコンテンツデータの再生を継続するように前記コンテンツ再生手段を動作させる
請求項１に記載の電子機器。
【請求項４】
前記制御手段は、前記再生中の画面において、前記入力手段より、再生中の画面における属性データの選択を行うためのカーソルを前記ディスプレイに表示させる
請求項３に記載の電子機器。
【請求項５】
前記制御手段は、前記カーソルが配置された項目が示す属性データが所定数以上の文字数を有する場合に、当該属性データをスクロール表示させる
請求項４に記載の電子機器。
【請求項６】
前記制御手段は、前記ディスプレイの表示を選択された属性データに応じて予め決定された階層の属性の前記リストに切り替える際に、前記リストにある選択されたコンテンツデータの属性データに対応する項目に前記カーソルを配置する
請求項４に記載の電子機器。
【請求項７】
前記制御手段は、前記ディスプレイに表示されているリストの任意の項目が選択された場合、当該選択された項目に対応するコンテンツデータの再生を前記再生手段に開始させると共に、前記リストから当該コンテンツデータに割り当てられた複数の属性データを有する再生中の画面へと表示内容を切り替え、前記再生中の画面における複数の属性データのうち１つが選択された場合に、前記再生中の画面から当該選択された属性データに応じて予め決定された階層の属性のリストに前記ディスプレイの表示内容を切り替える
請求項１に記載の電子機器。
【請求項８】
それぞれが階層構造を構成する、異なる複数の属性に対応する属性データが割り当てられたコンテンツデータの再生を行う電子機器における表示処理方法であって、
コンテンツデータの再生を行う第１の工程と、
前記第１の工程において再生されるコンテンツデータに割り当てられた複数の属性データを有する再生中の画面を前記ディスプレイに表示する第２の工程と、
前記ディスプレイに表示された前記再生中の画面が有する複数の属性データのうち１つが選択された場合に、前記ディスプレイの表示を選択された属性データに応じて予め決定された階層の属性のリストに切り替える第３の工程と、
を有する表示処理方法。
【請求項９】
それぞれが階層構造を構成する、異なる複数の属性に対応する属性データが割り当てられたコンテンツデータ再生する電子機器が有するコンピュータが実行するプログラムであって、
コンテンツデータの再生を行う第１の手順と、
前記第１の手順において再生されるコンテンツデータに割り当てられた複数の属性データを有する再生中の画面を前記ディスプレイに表示する第２の手順と、
前記ディスプレイに表示された前記再生中の画面が有する複数の属性データのうち１つが選択された場合に、前記ディスプレイの表示を選択された属性データに応じて予め決定された階層の属性のリストに切り替える第３の手順と、
を前記電子機器のコンピュータに実行させるプログラム。
【発明の詳細な説明】
【技術分野】
【０００１】
本発明は、再生中の画面から各属性に対応するリスト画面に切り替えることができる電子機器、表示処理方法及びプログラムに関する。
【背景技術】
【０００２】
近年、記録メディアの大容量化、並びに音楽、動画、静止画等の圧縮技術の発達により、携帯型再生装置などのコンピュータ内の記録メディアに膨大な数のコンテンツデータを記憶できる。
このように記録メディアに記憶できるコンテンツデータの数が増えるに従い、ユーザが希望するコンテンツデータを画面上で効率的に検索して表示するシステムが必要である。
このようなシステムとしては、例えば、コンテンツデータのトラック名、アルバム名、アーティスト名等の属性データを、そのイニシャルを基に検索するものがある。
例えば、アーティスト名で検索を行う場合に、先ず、ユーザは、アーティスト名によってアルファベット順・五十音順に並んだリストの中から、目的のアーティスト名を探し出す。
【０００３】
こうした携帯型再生装置では、各属性データのリストが階層構造をなし、ユーザは再生したいコンテンツデータを検索するために、例えば、「ジャンル」、「アーティスト名」、「アルバム名」、「トラック名」の各属性データのリストの中から再生したい楽曲の属性を１つずつ選択していく。
これまでの携帯型再生装置では、上述したような手順で検索したコンテンツデータの再生を行っている間、再生中のコンテンツデータに関する情報、例えばアーティスト名、アルバム名、トラック名等の属性データを表示するものが多い。
【０００４】
しかし、こうした携帯型再生装置では、コンテンツデータを再生中に別のコンテンツデータを探し出して再生したい場合、すなわち、例えば、現在再生中のコンテンツデータと同じアーティストの別のアルバムのコンテンツデータを再生したい場合、一旦最上層メニュー画面に戻ってから改めて検索しなおすか、或いは、現在再生中のコンテンツデータに至るためのリストを遡って検索をしなおす必要がある（すなわち上述の場合「トラック名」、「アルバム名」の順にリストを遡り、別のアルバムを選択）。
すなわち、これまでの携帯型再生装置では、再生中画面において選択を行うような仕組みが無く、最上層のメニュー画面に戻るか、直前のリスト画面に戻るかの制御しか行うことができない、という不利益があった。
【０００５】
【特許文献１】特開２００１−７６４１５号公報
【発明の開示】
【発明が解決しようとする課題】
【０００６】
本発明は上述した不利益を解消するために、再生中の画面から各属性に対応するリスト画面に切り替えることができる電子機器、表示処理方法及びプログラムを提供することを目的とする。
【課題を解決するための手段】
【０００７】
上述した不利益を解消するために、第１の観点の発明の電子機器は、それぞれが階層構造を構成する、異なる複数の属性に対応する属性データが割り当てられたコンテンツデータが記録される記録手段と、前記コンテンツデータを再生する再生手段と、ディスプレイと、前記コンテンツデータを再生する際に、当該コンテンツデータに割り当てられた複数の属性データを有する再生中の画面を前記ディスプレイに表示させ、前記再生中の画面が有する複数の属性データのうち１つが選択された場合に、前記再生中の画面から当該選択された属性データに応じて予め決定された階層の属性のリストに前記ディスプレイの表示内容を切り替える制御手段と、を有する。
【０００８】
第２の観点の発明の表示処理方法は、それぞれが階層構造を構成する、異なる複数の属性に対応する属性データが割り当てられたコンテンツデータの再生を行う電子機器における表示処理方法であって、コンテンツデータの再生を行う第１の工程と、前記第１の工程において再生されるコンテンツデータに割り当てられた複数の属性データを有する再生中の画面を前記ディスプレイに表示する第２の工程と、前記ディスプレイに表示された前記再生中の画面が有する複数の属性データのうち１つが選択された場合に、前記ディスプレイの表示を選択された属性データに応じて予め決定された階層の属性のリストに切り替える第３の工程と、を有する。
【０００９】
第３の観点の発明のプログラムは、それぞれが階層構造を構成する、異なる複数の属性に対応する属性データが割り当てられたコンテンツデータ再生する電子機器が有するコンピュータが実行するプログラムであって、コンテンツデータの再生を行う第１の手順と、前記第１の手順において再生されるコンテンツデータに割り当てられた複数の属性データを有する再生中の画面を前記ディスプレイに表示する第２の手順と、前記ディスプレイに表示された前記再生中の画面が有する複数の属性データのうち１つが選択された場合に、前記ディスプレイの表示を選択された属性データに応じて予め決定された階層の属性のリストに切り替える第３の手順と、を前記電子機器のコンピュータに実行させる。
【発明の効果】
【００１８】
本発明によれば、再生中の画面から各属性に対応するリスト画面に切り替えることができる電子機器、表示処理方法及びプログラムを提供することができる。
【発明を実施するための最良の形態】
【００１９】
以下、本発明の実施形態に係わる携帯型オーディオプレーヤについて説明する。
【００２０】
図１は、本発明の実施形態に係わる携帯型オーディオプレーヤ１の全体構成図である。
図１に示すように、携帯型オーディオプレーヤ１は、例えば、ヘッドホン端子１１、オーディオ再生装置１２、ＬＣＤパネル１３、ＣＰＵ（Central Processing Unit）１４、入力デバイス１５、ＳＤＲＡＭ（Synchronous Dynamic Random Access Memory）１６、フラッシュメモリ１７、ＨＤＤ（Hard Disk Drive）１８及びＵＳＢ（Universal Serial Bus）インターフェイス１９を有し、上述した各構成要素は、例えばデータ線１０を介して接続されている。
【００２１】
オーディオ再生装置１２は、ＣＰＵ１４が復号した楽曲データをオーディオ信号の形で出力し、ヘッドホン端子１１を介して楽曲を再生する。なお、本実施形態の楽曲データは本発明のコンテンツデータの一例である。
ＬＣＤパネル１３は、例えば、携帯型オーディオプレーヤ１の筐体の正面に設けられ、ＣＰＵ１４によって様々な画面が表示される。
ＬＣＤパネル１３に表示される主な画面としては、例えば、メニュー画面、曲検索画面、設定画面、再生画面及び再生履歴画面などがあり、ユーザの入力デバイス１５を介した操作によりこれらの画面が切り替わる。
またＬＣＤパネル１３は、例えば、タッチパネルを有し、ユーザが指等によって接触した画面上の位置を検出し、その位置を示す検出位置信号をＣＰＵ１４に出力する。
【００２２】
入力デバイス１５は、図２に示すように、携帯型オーディオプレーヤ１の筐体に設けられ、ユーザによって操作される種々のキーである。
図２は、携帯型オーディオプレーヤ１の筐体の側面及び正面の一例を示す図である。
図２（ａ）及び図２（ｃ）は携帯型オーディオプレーヤ１の側面の一例を示す図である。
図２（ｂ）は携帯型オーディオプレーヤ１の正面の一例を示す図である。
【００２３】
図２（ａ）に示すように、携帯型オーディオプレーヤ１の側面にはヘッドホン端子１１とＨＯＬＤキー２２が配設されている。
図２（ｂ）に示すように、携帯型オーディオプレーヤ１の正面にはＬＣＤパネル１３、十字キー２７、ＢＡＣＫキー２８、ＶＩＥＷキー２９及びＭＥＮＵキー３０が配設されている。
十字キー２７は、十字上キー２７ａ、十字左キー２７ｂ、十字下キー２７ｃ、十字右キー２７ｄ及びＥＮＴＥＲ（決定）キー２７ｅからなる。
図２（ｃ）に示すように、携帯型オーディオプレーヤ１の側面には巻き戻しキー２４、再生・一時停止キー２５、早送りキー２６及び音量調節ダイヤル２３が配設されている。
ＳＤＲＡＭ１６は、ＣＰＵ１４の処理に係わるデータ等を一時的に記憶する。
フラッシュメモリ１７は、例えば、ＣＰＵ１４の動作を規定するプログラムＰＲＧを記憶する。
【００２４】
ＨＤＤ１８は、例えば数ＧＢ〜数十ＧＢの記憶容量を有し、種々の圧縮方法で圧縮された、或いは非圧縮の楽曲データ等のコンテンツデータを記憶する。
また、ＨＤＤ１８は、ＣＰＵ１４が作成した種々のリストデータを保存する。
ＵＳＢインターフェイス１９は、例えば、パーソナルコンピュータ３と接続され、パーソナルコンピュータ３との間でデータ入出力を行う。ここで入出力を行うデータは、例えば、楽曲データ、楽曲データ以外のコンテンツデータ、リストデータ等である。
【００２５】
ＣＰＵ１４は、フラッシュメモリ１７から読み出したプログラムＰＲＧに基づき、本実施形態の携帯型オーディオプレーヤ１の動作を統括的に制御する。
また、ＣＰＵ１４は、ユーザによって選択された楽曲データを復号し、オーディオ再生装置１２に出力する。
【００２６】
なお、本実施形態のＨＤＤ１８は本発明の記録手段の一例であり、本実施形態の入力デバイス１５及びＬＣＤパネル１３のタッチパネルは本発明の入力手段の一例であり、本実施形態のＬＣＤパネル１３は本発明のディスプレイの一例であり、本実施形態のオーディオ再生装置１２は本発明の再生手段の一例であり、本実施形態のＣＰＵ１４は本発明の制御手段の一例である。
【００２７】
以下、各属性に対応するリストデータと各リスト画面について説明する。
図３は、楽曲データの属性と属性データとを説明するための図である。
図３に示すように、各楽曲データは、各属性に関連する属性データを有する。
属性とは、例えば、アーティスト名、アルバム名、ジャンル名、トラック名等であり、トラックデータとは、それぞれの属性に関連する各データのことである。
【００２８】
図４は、リスト画面の相関と、操作方法を示す図である。
図４中、「ＥＮＴＥＲ」はＥＮＴＥＲキー２７ｅ、「ＢＡＣＫ」はＢＡＣＫキー２８、「ＤＯＷＮ」は十字下キー２７ｃ、「ＵＰ」は十字上キー２７ａによる操作を意味する。
また、各画面を表す四角の中には、対応する図の番号と、各画面の名称を記載している。
【００２９】
図４に示すように、携帯型オーディオプレーヤ１は階層構造をなすリストを有する。
各リストは各属性に対応している。
【００３０】
以下、メインメニュー画面から再生する楽曲にたどり着くまでの手順について説明する。
【００３１】
ＣＰＵ１４は、例えば、図５に示すメインメニュー画面をＬＣＤパネル１３に表示する。
図５に示すメインメニュー画面は、例えば、再生ボタン、お気に入りリスト表示ボタン、シャッフルモードボタン、イニシャルサーチボタン、ミュージックライブラリボタン、再生履歴ボタン、イコライザボタン、設定ボタン等を有する。
ＣＰＵ１４は、ユーザの入力デバイス１５或いはＬＣＤパネル１３のタッチパネルを介した入力により、メインメニュー画面から、各ボタンに対応した画面に切り替える。
図５の白黒反転したボタンは、入力デバイス１５によって現在選択されているボタンを意味し、十字キー２７ａ〜２７ｄの入力に対応して移動し、ＥＮＴＥＲキー２７ｅによって反転したボタンが選択される。また、ボタンを選択する操作はＬＣＤパネル１３のタッチパネルを介して、指等で直接押すことによっても可能である。このような操作方法は、以下の各画面についても同様である。
以下、メインメニュー画面においてミュージックライブラリボタンが選択された場合について説明する。
【００３２】
ミュージックライブラリボタンが選択されると、ＣＰＵ１４は、ＬＣＤパネル１３の画面を図６に示すミュージックライブラリ画面に切り替えて表示する。
図６は、ミュージックライブラリ画面の一例を示す図である。
図６に示すミュージックライブラリ画面は、例えば、すべての楽曲データを１つのリストとして表示するＡｌｌ Ｓｏｎｇｓボタン、アルバムのリストを表示するＡｌｂｕｍｓボタン、アーティストのリストを表示するＡｒｔｉｓｔｓボタン、ジャンルのリストを表示するＧｅｎｒｅｓボタン、レーティング（点数付け）による選択を行うＲａｔｉｎｇボタン、リリースされた年によって分類されたリストを表示するＹｅａｒ  ｏｆ  Ｒｅｌｅａｓｅボタン、最近ＨＤＤ１８に記憶された楽曲データのリストを表示するＮｅｗ  Ｔｒａｃｋｓボタン等を有する。
ＣＰＵ１４は、ユーザの入力デバイス１５或いはＬＣＤパネル１３のタッチパネルを介した入力に基づいて、図６に示すミュージックライブラリ画面の白黒反転したボタンを動かすことによって、ユーザに選択決定させ、ユーザの決定に応じて決定に対応した画面を表示する。
【００３３】
図６に示すミュージックライブラリ画面においてＡｌｌ  Ｓｏｎｇｓボタンが選択された場合、ＣＰＵ１４はＬＣＤパネル１３に、図７に示す全曲リスト画面を表示する。
図７は、全曲検索をする際の画面の遷移を示す図である。
図７に示す全曲リスト画面は、ＨＤＤ１８に記憶された全ての楽曲名をアルファベット順・五十音順に並べたリストを表示する画面である。
図７に示す全曲リスト画面において楽曲が選択されると、図１４（ａ）の再生中画面が表示され、ＣＰＵ１４は選択された楽曲を復号してオーディオ再生装置１２に送り、オーディオ再生装置１２が選択された楽曲を再生してヘッドホン端子１１から出力する。
【００３４】
図６に示すミュージックライブラリ画面においてＡｌｂｕｍｓボタンが選択された場合、ＣＰＵ１４はＬＣＤパネル１３に、図８に示すようなアルバムリスト画面を表示する。
図８（ａ）及び図８（ｂ）は、アルバム単位で検索をする際の画面の遷移を示す図である。
図８（ａ）に示すアルバムリスト画面は、ＨＤＤ１８に記憶された全てのアルバム名をアルファベット順・五十音順に並べたリストを表示する画面であり、図８（ｂ）に示すトラック選択画面は、図８（ａ）に示すアルバムリスト画面で選択されたアルバムに収録されているトラックリストを表示する画面である。
図８（ａ）に示すアルバムリスト画面においてアルバムが選択されると、ＣＰＵ１４は、ＬＣＤパネル１３の画面に、選択されたアルバムに収録されたトラックのリスト、図８（ｂ）に示すトラックリスト画面を表示する。図８（ｂ）に示すトラックリスト画面において楽曲が選択されると、図１４（ａ）の再生中画面が表示され、ＣＰＵ１４は選択された楽曲を復号してオーディオ再生装置１２に送り、オーディオ再生装置１２が再生してヘッドホン端子１１から出力する。
【００３５】
図６に示すミュージックライブラリ画面においてＡｒｔｉｓｔｓボタンが選択された場合、ＣＰＵ１４はＬＣＤパネル１３に、図９に示すようなアーティストリスト画面を表示する。
図９（ａ）、図９（ｂ）及び図９（ｃ）は、アーティストを基に検索を行う際の画面の遷移を示す図である。
図９（ａ）に示すアーティストリスト画面は、ＨＤＤ１８に記憶された全ての楽曲のアーティストをアルファベット順・五十音順で並べたリストを表示する画面である。図９（ｂ）に示すアルバムリスト画面は、図９（ａ）のアーティストリスト画面で選択されたアーティストのアルバムをアルファベット順・五十音順に並べたリストを表示する画面であり、図９（ｃ）に示すトラックリスト画面は、図９（ｂ）に示すアルバムリスト画面で選択されたアルバムに収録されているトラックリストを表示する画面である。
図９（ａ）に示すアーティストリスト画面においてアーティストが選択されると、ＣＰＵ１４は、ＬＣＤパネル１３に図９（ｂ）に示すそのアーティストのアルバムリスト画面を表示する。図９（ｂ）に示すアルバムリスト画面においてアルバムが選択されると、ＣＰＵ１４は、ＬＣＤパネル１３に図９（ｃ）に示すトラックリスト画面を表示する。図９（ｃ）に示すトラックリスト画面において楽曲が選択されると、図１４（ａ）の再生中画面が表示され、ＣＰＵ１４は選択された楽曲を復号してオーディオ再生装置１２に送り、オーディオ再生装置１２が再生してヘッドホン端子１１から出力する。
【００３６】
図６に示すミュージックライブラリ画面においてＧｅｎｒｅｓボタンが選択された場合、ＣＰＵ１４はＬＣＤパネル１３に、図１０に示すジャンルリスト画面を表示する。
図１０（ａ）、図１０（ｂ）、図１０（ｃ）及び図１０（ｄ）は、ジャンルから検索を行う際の画面の遷移を示す図である。
図１０（ａ）に示すジャンル選択画面は、ジャンル名をアルファベット順に並べて表示してある画面である。図１０（ｂ）に示すアーティストリスト画面は、ジャンル選択画面で選択されたジャンルのアーティストをアルファベット順・五十音順で並べたリストを表示する画面である。図１０（ｃ）に示すアルバムリスト画面は、図１０（ｂ）のアーティストリスト画面で選択されたアーティストのアルバムをアルファベット順・五十音順に並べたリストを表示する画面であり、図１０（ｄ）に示すトラックリスト画面は、図１０（ｃ）に示すアルバムリスト画面で選択されたアルバムに収録されているトラックリストを表示する画面である。
図１０（ａ）に示すジャンルリスト画面においてジャンルが選択されると、ＣＰＵ１４は、ＬＣＤパネル１３に、図１０（ｂ）に示すそのジャンルのアーティストリスト画面を表示する。図１０（ｂ）に示すアーティストリスト画面においてアーティストが選択されると、ＣＰＵ１４は、ＬＣＤパネル１３に、図１０（ｃ）に示すアルバムリスト画面を表示する。図１０（ｃ）に示すアルバムリスト画面においてアルバムが選択されると、ＣＰＵ１４は、ＬＣＤパネル１３に図１０（ｄ）が示すトラックリスト画面を表示する。図１０（ｄ）に示すトラックリスト画面において楽曲が選択されると、図１４（ａ）の再生中画面が表示され、ＣＰＵ１４は選択された楽曲を復号してオーディオ再生装置１２に送り、オーディオ再生装置１２が再生してヘッドホン端子１１から出力する。
【００３７】
図６に示すミュージックライブラリ画面においてＲａｔｉｎｇボタンが選択された場合、ＣＰＵ１４はＬＣＤパネル１３に、図１１に示すようなレーティング画面を表示する。
図１１（ａ）及び図１１（ｂ）は、ユーザが過去に付けておいたレーティングの点数を基に検索を行う際の画面の遷移を示す図である。
図１１（ａ）に示すレーティング画面は、点数（レーティング）を表示する画面である。この点数は、ユーザが予め各楽曲に対して、例えば５段階評価で付けたものであり、ユーザの各楽曲に対するお気に入り度を表している。図１１（ｂ）に示す曲リスト画面は、図１１（ａ）に示すレーティング画面で選択されたレーティングを有する楽曲をアルファベット順・五十音順で並べたリストを表示する画面である。
図１１（ａ）に示すレーティング画面においてレーティングの点数（図１１（ａ）では★の数で表される）が選択されると、ＣＰＵ１４は、ＬＣＤパネル１３に該当する点数を有する図１１（ｂ）に示す曲リスト画面を表示する。ここで、レーティングの点数は、ユーザによってあらかじめ付けられた点数である。図１１（ｂ）に示す曲リスト画面において楽曲が選択されると、図１４（ａ）に示す再生中画面が表示され、ＣＰＵ１４は選択された楽曲を復号してオーディオ再生装置１２に送り、オーディオ再生装置１２が再生してヘッドホン端子１１から出力する。
【００３８】
図６に示すミュージックライブラリ画面においてＹｅａｒ  ｏｆ  Ｒｅｌｅａｓｅボタンが選択された場合、ＣＰＵ１４はＬＣＤパネル１３に図１２に示すような年選択画面を表示する。
図１２（ａ）、図１２（ｂ）及び図１２（ｃ）は、その楽曲或いはアルバム等がリリースされた年によって検索を行う際の画面の遷移を示す図である。
図１２（ａ）に示す年選択画面は、年を選択する画面である。図１２（ｂ）に示すアーティストリスト画面は、図１２（ａ）の年選択画面で選択された年にリリースされた楽曲を有するアーティストをアルファベット順・五十音順に並べたリストを表示する画面である。図１２（ｃ）に示す曲リスト画面は、図１２（ｂ）に示すアーティストリスト画面で選択されたアーティストが図１２（ａ）で選択された年にリリースした楽曲のリストを表示する画面である。
図１２（ａ）に示す年選択画面において年が選択されると、ＣＰＵ１４は、ＬＣＤパネル１３に、その年に楽曲をリリースしたアーティストのリスト、図１２（ｂ）に示すアーティストリスト画面を表示する。図１２（ｂ）に示すアーティストリスト画面においてアーティストが選択されると、ＣＰＵ１４は、ＬＣＤパネル１３に図１２（ｃ）に示す曲リスト画面を表示する。図１２（ｃ）に示す曲リスト画面において楽曲が選択されると、図１４（ａ）の再生中画面が表示され、ＣＰＵ１４は選択された楽曲を復号してオーディオ再生装置１２に送り、オーディオ再生装置１２が再生してヘッドホン端子１１から出力する。
【００３９】
図６に示すミュージックライブラリ画面においてＮｅｗ  Ｔｒａｃｋｓボタンが選択された場合、ＣＰＵ１４はＬＣＤパネル１３に、最近追加されたアルバムのリスト、図１３に示すアルバムリスト画面を表示する。
図１３（ａ）及び図１３（ｂ）は、最近ＨＤＤ１８に追加されたアルバム、或いは曲の中から選択を行う際の画面の遷移を示す図である。
図１３（ａ）に示すアルバムリスト画面は、最近ＨＤＤ１８に加えられたアルバムをアルファベット順・五十音順で並べたリストを表示する画面である。図９（ｂ）に示すトラックリスト画面は、図１３（ｂ）のアルバムリスト画面で選択されたアルバムに収録されているトラックをアルファベット順・五十音順に並べたリストを表示する画面である。
図１３（ａ）に示すアルバムリスト画面においてアルバムが選択されると、ＣＰＵ１４は、ＬＣＤパネル１３に図１３（ｂ）に示すトラックリスト画面を表示する。図１３（ｂ）に示すトラックリスト画面において楽曲が選択されると、図１４（ａ）の再生中画面が表示され、ＣＰＵ１４は選択された楽曲を復号してオーディオ再生装置１２に送り、オーディオ再生装置１２が再生してヘッドホン端子１１から出力する。
【００４０】
ＬＣＤパネル１３に表示される操作画面は、上述したように遷移する。
上述したように各画面はＥＮＴＥＲキー２７ｅ或いはタッチパネルによる入力に基づいて遷移するが、この操作は可逆の操作であり、ＢＡＣＫキー２８による入力に基づいて直前の画面に戻ることが可能である。
【００４１】
なお、上述したように、各画面は種々のリスト、例えば、アーティストリスト、アルバムリスト、トラックリスト、曲リスト等を表示するが、こうしたリストは、例えば、楽曲データを、ＵＳＢインターフェイス１９を介してパーソナルコンピュータ３からＨＤＤ１８に転送する際に、予めパーソナルコンピュータ３上で作成してあったリストを同時に転送してＨＤＤ１８に記憶し、リストが必要になった際にＨＤＤ１８から呼び出して使用してもよいし、リストが必要になった際に、各楽曲データが有する属性データを基に、ＣＰＵ１４がリストを作成し表示してもよい。
【００４２】
次に、再生中画面について説明する。
図１４は、再生中画面と、ユーザの操作による画面の遷移を示す図である。
【００４３】
図１４（ａ）は、ある楽曲の再生を行っている最中の初期画面である。
図１４（ａ）に示すように、再生中画面は、再生している楽曲の各属性データを表示している。図１４（ａ）中の「Ｔｒａｃｋ＿Ｘ」は再生中の楽曲のトラック名を、「Ｅ＊＊＊＊＿３」はアルバム名を、「Ｈ＊＊＊＊＿１５」はアーティスト名を、「Ｒｏｃｋ」はジャンル名を、「★★★」はレーティングの点数を、「２００４」はリリースされた年を表している。なお、図１４に表示されている属性データは一例である。
本発明の携帯型オーディオプレーヤ１では、図１４（ａ）において、十字キー２７ａ〜ｄのいずれかを押すと、図１４（ｂ）に示すように、アルバム名を表す「Ａｌｂｕｍ＿Ｘ」のところにカーソルが現れ、ＥＮＴＥＲキー２７ｅによる選択が可能になる。
ここで、図４及び図１４に示すように、カーソルは十字上下キー２７ａ、２７ｃの押下により、再生中画面の各属性データを移動し、ＥＮＴＥＲキー２７ｅによる選択が可能になる。
【００４４】
ここで、例えば、図１４（ｂ）において、すなわち、現在再生中の楽曲のアルバム名にカーソルが合った状態で、ＥＮＴＥＲキー２７ｅを押下した場合、図４に示すように、ＣＰＵ１４は、図８（ｂ）に示すそのアルバムに収録されたトラックリスト画面にＬＣＤパネル１３の表示を切り替える。
同様に、図１４（ｃ）において、すなわち、現在再生中の楽曲のアーティスト名にカーソルが合った状態で、ＥＮＴＥＲキー２７ｅを押下した場合、図４に示すように、ＣＰＵ１４は、図９（ｂ）に示すそのアーティストのアルバムリスト画面にＬＣＤパネル１３の表示を切り替える。
【００４５】
同様に、図１４（ｄ）において、すなわち、現在再生中の楽曲のジャンル名にカーソルが合った状態で、ＥＮＴＥＲキー２７ｅを押下した場合、図４に示すように、ＣＰＵ１４は、図１０（ｂ）に示すそのジャンルのアーティストリスト画面にＬＣＤパネル１３の表示を切り替える。
同様に、図１４（ｅ）において、すなわち、現在再生中の楽曲のレーティングの点数にカーソルが合った状態で、ＥＮＴＥＲキー２７ｅを押下した場合、図４に示すように、ＣＰＵ１４は、図１１（ａ）に示すレーティング画面にＬＣＤパネル１３の表示を切り替える。
【００４６】
同様に、図１４（ｆ）において、すなわち、現在再生中の楽曲のリリースされた年にカーソルが合った状態で、ＥＮＴＥＲキー２７ｅを押下した場合、図４に示すように、ＣＰＵ１４は、図１２（ｂ）に示すその年にリリースした楽曲を有するアーティストリスト画面にＬＣＤパネル１３の表示を切り替える。
【００４７】
すなわち、本実施形態のオーディオプレーヤ１によれば、再生する楽曲を決定するまでに辿った各リスト画面に係わらず、ＬＣＤパネル１３の表示が再生中画面において選択した属性データの属性に関連するリスト画面に即座に切り替わる。つまり、例えば、図５のメニュー画面から、図９（ａ）のアーティストリスト画面、図９（ｂ）のアルバムリスト画面、図９（ｃ）のトラックリスト画面を経て再生する楽曲を決定した場合でも、その楽曲の再生中画面において、図１４（ｅ）のようにレーティングの点数がカーソルにより選択された場合、ＬＣＤパネル１３の表示は、図９（ｃ）の画面に戻らずに、即座に図１１（ａ）のレーティング画面に切り替わる。
【００４８】
また、再生中画面図１４（ａ）〜１４（ｄ）の各画面において、カーソルが合っている属性データの文字数が所定の数より多く画面内に表示しきれない場合には、その属性データの文字をスクロールさせて表示する。
具体的には、例えば図１５（ａ）に示すように、再生中画面枠内に表示しきれない文字数のトラック名「Ｔｒａｃｋ＿ａｂｃｄｅｆｇｈｉｊｋｌｍｎｏｐｑｒｓｔｕ」、アルバム名「Ａｌｂｕｍ＿ａｂｃｄｅｆｇｈｉｊｋｌｍｎｏｐｑｒｓｔｕ」、アーティスト名「Ａｒｔｉｓｔ＿ａｂｃｄｅｆｇｈｉｊｋｌｍｎｏｐｑｒｓｔｕ」等の属性データを表示する際には、まず、図１５（ｂ）に示すように、属性データの先頭の文字から、表示可能な範囲の文字を表示する。
【００４９】
次に、カーソルが合っている属性データに関しては、図１５（ａ）における表示不可能範囲にある文字を表示させるために、スクロール表示を行う。すなわち、例えば図１５（ｃ）に示すように、現在カーソルが合っている属性データ、アルバム名「Ａｌｂｕｍ＿ａｂｃｄｅｆｇｈｉｊｋｌｍｎｏｐｑｒｓｔｕ」の図１５（ｂ）において表示されていなかった部分「ｍｎｏｐｑｒｓｔｕ」を時間の経過と共に１文字ずつ表示していくと同時に、表示されていた部分「Ａｌｂｕｍ＿ａｂｃｄｅｆｇｈｉｊｋｌ」を先頭の文字から１文字ずつ消し、残りの文字を左に１文字ずつずらす処理を行う。図１５（ｃ）では、スクロールして新たに現れた文字に下線を付して示す。
【００５０】
更に、カーソルが合っている属性データが変わった場合は、図１５（ｄ）に示すように、カーソルが合っていた属性データのスクロール表示をやめ、新たにカーソルを合わせた属性データのスクロール表示を開始する。図１５（ｄ）においても、スクロールして新たに現れた文字に下線を付して示している。
【００５１】
なお、カーソルが合っている属性データの文字数が所定の数以下であり再生中画面に表示可能である場合は、図１５（ｅ）に示すようにスクロール表示しない。言うまでもないが、この場合再生中画面内に所定の数より多い文字数の属性データがあったとしても、カーソルが合っていない限りはスクロール表示をしない。
【００５２】
なお、スクロール表示の具体例を図１６に示す。
図１６（ａ）〜（ｄ）に示すように、スクロール表示では、時間の経過と共に、画面の左端の文字が１文字ずつ消える代わりに、右端に表示できなかった文字が１文字ずつ現れる。
また、更に時間が経ち、属性データの最後までスクロール表示した後は、図１６（ｄ）に示すように全ての文字が一度左端から消えるまで右端からは文字が現れないようにしてもよいし、図１６（ｅ）に示すように、属性データの終わりの文字から所定の文字数だけ空けてその属性データの最初の文字からまたスクロール表示するようにしてもよい。
【００５３】
次に、携帯型オーディオプレーヤ１の動作例について説明する。
図１７は、携帯型オーディオプレーヤ１の動作例を示すフローチャートである。
ステップＳＴ１:
ＣＰＵ１４は、ＬＣＤパネル１３に所定のリストを表示する。所定のリストとは、例えば、図６に示すミュージックライブラリ画面である。
ステップＳＴ２：
ＣＰＵ１４は、ステップＳＴ１において表示されたリスト上の項目、例えば、アーティストが選択されたかどうかの判断を行い、行われた場合はステップＳＴ３に進み、行われなかった場合はステップＳＴ２をやり直す。
【００５４】
ステップＳＴ３：
ＣＰＵ１４は、ステップＳＴ２において選択された項目のリストをＬＣＤパネル１３に表示する。例えば、アーティストが選択された場合は、図９（ａ）に示すアーティスト選択画面を表示する。
ステップＳＴ４：
ＣＰＵ１４は、ステップＳＴ３において表示したリスト上で選択されたコンテンツの再生命令があるかどうかの判断を行う。再生命令が無い場合には、ステップＳＴ２に戻り、あった場合には、ステップＳＴ５に進む。なお、具体的には、再生命令は、例えば、図７の全曲選択画面、図８（ｂ）、図９（ｃ）、図１０（ｄ）、図１１（ｂ）及び図１３（ｂ）のトラックリスト画面、図１２（ｃ）の曲選択画面で楽曲が選択され、ＥＮＴＥＲキー２７ｅが押下されることにより行われる。
【００５５】
ステップＳＴ５：
ＣＰＵ１４は、ステップＳＴ４において再生命令の出された楽曲を再生する。具体的には、例えば、図９（ｃ）のトラックリスト画面で再生命令を出された楽曲を再生する。
ステップＳＴ６：
ＣＰＵ１４は、ステップＳＴ５において再生を開始したコンテンツの有する属性データをＬＣＤパネル１３に表示する。すなわち、例えば、図１４（ａ）のように、再生を開始した楽曲の曲名、アルバム名、アーティスト名、ジャンル名、レーティングの点数、リリース年等を表示する。
【００５６】
ステップＳＴ７：
ＣＰＵ１４は、ステップＳＴ６でＬＣＤパネル１３に表示された再生中画面において、カーソルを表示させる操作（十字上キー２７ａまたは十字下キー２７ｃによる入力）があった場合はステップＳＴ８に進み、無かった場合はステップＳＴ６に戻って入力を待つ。
ステップＳＴ８：
ＣＰＵ１４は、ステップＳＴ７においてカーソルが合った属性データの文字数が所定の数（再生中画面に表示できる文字数）より多いか否かを判断し、多い場合はステップＳＴ９に進み、そうでない場合はステップＳＴ１０に進む。
【００５７】
ステップＳＴ９：
ＣＰＵ１４は、属性データをスクロール表示する。
ステップＳＴ１０：
ＣＰＵ１４は、カーソルを移動させる操作（十字上キー２７ａ或いは十字下キー２７ｃの入力）があった場合はステップＳＴ８に戻り、無かった場合はステップＳＴ１１に進む。
【００５８】
ステップＳＴ１１：
ＣＰＵ１４は、再生中画面における入力デバイス１５及びタッチパネルによる操作によって、現在カーソルが合っている属性データが選択されたかどうかを判断し、された場合はステップＳＴ１２に、されなかった場合はステップＳＴ１３に進む。
ステップＳＴ１２：
ＣＰＵ１４は、ステップＳＴ１１において選択された属性データに対応するリストを、ＬＣＤパネル１３に表示する。すなわち、図４に示すように、ＣＰＵ１４は、図１４（ｂ）に示す現在再生中の楽曲のアルバム名が選択された場合には図８（ｂ）に示すそのアルバムのトラックリストを、図１４（ｃ）に示すアーティスト名が選択された場合には図９（ｂ）に示すそのアーティストのアルバムリストを、図１４（ｄ）に示すジャンルが選択された場合には図１０（ｂ）に示すそのジャンルのアーティストリストを、図１４（ｅ）に示すレーティングの点数が選択された場合には図１１（ａ）に示すレーティングの点数選択画面を、図１４（ｆ）に示すリリース年が選択された場合には図１２（ｂ）に示すその都市にリリースされた楽曲を有するアーティストリストを、それぞれＬＣＤパネル１３に表示する。
なお、ＣＰＵ１４は、画面を切り替えた後でも、次の楽曲の再生命令が実行されるまでは現在再生中の楽曲の再生を継続する。
【００５９】
ステップＳＴ１３：
ＣＰＵ１４は、現在再生中の楽曲の再生が終了したか否かの判断を行い、終了していない場合はステップＳＴ１１に戻り、終了した場合はステップＳＴ１４に進む。
ステップＳＴ１４：
ＣＰＵ１４は、ＬＣＤパネル１３に表示されている画面に関係なく、ステップＳＴ１３において再生が終了した楽曲の属するリストに従って、リストの次の曲を再生し、ステップＳＴ６に戻る。楽曲が属するリストとは、例えば、図６に示すミュージックライブラリ画面から図８（ａ）に示すアルバムリスト画面、図８（ｂ）に示すトラックリスト画面の順に進んで現在の楽曲を選択した場合、図８（ｂ）に示すトラックリストである。すなわち、再生が終了した楽曲に辿り着くため表示された、図７、図８（ｂ）、図９（ｃ）、図１０（ｄ）、図１１（ｂ）、図１２（ｃ）及び図１３（ｂ）に示す画面の内いずれかのリストのことである。
すなわち、現在ＬＣＤパネル１３に、例えば、アーティストリスト画面が表示されており、選択待ちの状態だったとしても、その画面とは関係なく、ＣＰＵ１４は上述した楽曲が属するリストの次の曲の再生を始める。
【００６０】
なお、本実施形態のステップＳＴ５は本発明の第１の工程の一例であり、本実施形態のステップＳＴ６は本発明の第２の工程の一例であり、本実施形態のステップＳＴ１２は本発明の第３の工程の一例である。
【００６１】
なお、上記動作例では、図６に示すミュージックライブラリ画面から図４に示すようにリストを辿っていく場合について説明したが、本実施形態の携帯型オーディオプレーヤ１は、予め作成されＨＤＤ１８に記憶されていたプレイリスト等に従って楽曲再生を行うこともでき、この場合、ステップＳＴ１４において再生される「リストの次の曲」は当該プレイリストの次の曲になる。このプレイリストは、携帯型オーディオプレーヤ１上で作成してもよいし、ＰＣから楽曲を転送する際にＰＣ上で作成したリストをそのままＨＤＤ１８に記憶しておいてもよい。
【００６２】
以上説明したように、楽曲を再生中にその楽曲に関連のある楽曲を再生したくなった場合、本実施形態の携帯型オーディオプレーヤ１によれば、楽曲を再生中に表示された属性データを選択することで、その属性に対応したリストが表示されるため、簡単な操作且つ従来に比べ比較的短い時間で目的の楽曲リストを表示することができる。
また、本実施形態のオーディオプレーヤ１によれば、再生する楽曲を決定するまでに辿った各リスト画面に係わらず、ＬＣＤパネル１３の表示が再生中画面において選択した属性データの属性に関連するリスト画面に即座に切り替わるために、ユーザに煩雑な操作を強いずに目的のリスト画面へとＬＣＤパネル１３の画面表示を切り替えることができる。
【００６３】
なお、本実施形態では、本発明の入力手段として携帯型オーディオプレーヤ１の筐体に設けられた入力デバイス１５に含まれる種々のキー及びＬＣＤパネル１３のタッチパネルを、ディスプレイとしてＬＣＤパネル１３を例示したが、例えば、入力手段として、図１８に示すリモコン４の筐体に配設された種々のボタンを含む入力デバイス４１を、ディスプレイとしてＬＣＤパネル４２を使用してもよい。
図１８は、リモコン４の筐体の正面の一例を示す図である。
【００６４】
図１８に示すように、リモコン４は、入力デバイス４１、ＬＣＤパネル４２、ケーブル４３、ヘッドホン端子４４を有する。
入力デバイス４１は、リモコン４１の正面、側面、背面に配設された種々のキーであり、携帯型オーディオプレーヤ１の入力デバイス１５と同様にユーザの操作による入力を受け付ける。
【００６５】
ＬＣＤパネル４２は、例えば、携帯型オーディオプレーヤ１のＣＰＵ１４によって、後述するケーブル４３を介して、携帯型オーディオプレーヤ１のＬＣＤパネル１３と同様の表示を行う。
ケーブル４３は、例えば、携帯型オーディオプレーヤ１のヘッドホン端子１１と接続され、入力デバイス４１の受け付けたユーザの操作による入力を携帯型オーディオプレーヤ１のＣＰＵ１４に伝達したり、ＬＣＤパネル４２に画面を表示させるための携帯型オーディオプレーヤ１のＣＰＵの１４が発する信号をリモコン４側に伝達したり、携帯型オーディオプレーヤ１のオーディオ再生装置１２が再生した楽曲の音声信号をリモコン４側のヘッドホン端子４４まで伝達したりする、双方向通信デバイスである。
【００６６】
ヘッドホン端子４４は、ヘッドホン等出力機器を接続し、ケーブル４３を介して伝達された、携帯型オーディオプレーヤ１のオーディオ再生装置１２が再生した楽曲の音声信号を出力機器に出力する。
【００６７】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００６８】
本発明に係わる上記実施形態ではディスプレイとしてＬＣＤパネル１３を使用したが、表示装置として、例えば、有機ＥＬディスプレイ（organic electroluminescence display）パネルを使用してもよい。
【００６９】
なお、本発明に係わる上記実施形態では、パーソナルコンピュータ３とＵＳＢインターフェイス１９を介してデータの通信を行っているが、本発明はこれに限定されない。例えば、楽曲データの配信を行うサーバ等と赤外線通信や無線ＬＡＮ等の無線通信を介してデータ通信を行ってもよい。
【００７０】
また、本発明に係わる上記実施形態では、楽曲データをコンテンツデータの一例として説明したが、本発明はこれに限定されない。コンテンツデータとしては、例えば、動画、静止画、テキストデータ等でもよい。また、再生中画面に表示される項目としては、上述した実施形態で述べたものの他に、例えば、コンテンツデータが映画等の動画データの場合には、タイトル、主演俳優、監督、ジャンル、国、公開年、制作会社、配給会社等でもよい。更に、コンテンツデータが写真等の静止画データの場合には、撮影された日付、サイズ、写真の種類（風景・絵等）、撮影者等であってもよい。更に、コンテンツデータが電子出版等のテキストデータの場合には、タイトル、作者、ジャンル、出版社等でもよい。
【００７１】
更に、上述した実施形態では、ＨＤＤ１８に楽曲データすなわちコンテンツデータが記憶されるとしたが、本発明はこれに限定されない。すなわち、フラッシュメモリ等にコンテンツデータを記憶してもよい。
【００７２】
また、上述した実施形態は一例として携帯型オーディオプレーヤについて説明したが、本発明はこれに限定されず、コンテンツデータを記憶し再生を行い、表示機能を有する電子機器ならばどのような機器であってもよい。例えば、ＨＤＤレコーダ、電子書籍端末、ＤＶＤプレーヤ、デジタルカメラ、パーソナルコンピュータ等でもよい。
【図面の簡単な説明】
【００７３】
【図１】図１は、本発明の実施携帯に係わる携帯型オーディオプレーヤ１の構成図である。
【図２】図２は、携帯型オーディオプレーヤ１の筐体の側面及び正面の一例を示す図である。
【図３】図３は、楽曲データの属性と属性データとを説明するための図である。
【図４】図４は、携帯型オーディオプレーヤ１のＬＣＤパネル１３に表示される画面の相関と遷移を示す図である。
【図５】図５は、メインメニュー画面の一例を示す図である。
【図６】図６は、ミュージックライブラリ画面の一例を示す図である。
【図７】図７は、全曲検索をする際の画面の遷移を示す図である。
【図８】図８は、アルバム単位で検索をする際の画面の遷移を示す図である。
【図９】図９は、アーティストを基に検索を行う際の画面の遷移を示す図である。
【図１０】図１０は、ジャンルから検索を行う際の画面の遷移を示す図である。
【図１１】図１１は、ユーザが過去に付けておいたレーティングの点数を基に検索を行う際の画面の遷移を示す図である、
【図１２】図１２は、その楽曲或いはアルバム等がリリースされた年によって検索を行う際の画面の遷移を示す図である。
【図１３】図１３は、最近ＨＤＤ１８に追加されたアルバム、或いは曲の中から選択を行う際の画面の遷移を示す図である。
【図１４】図１４は、再生中画面と、ユーザの操作による画面の遷移を示す図である。
【図１５】図１５は、再生中画面における属性データのスクロール表示を説明するための図である。
【図１６】図１６は、スクロール表示について説明するための図である。
【図１７】図１７は、携帯型オーディオプレーヤ１の動作例を示すフローチャートである。
【図１８】図１８は、リモコン４の筐体の正面の一例を示す図である。
【符号の説明】
【００７４】
１…携帯型オーディオプレーヤ、１０…データ線、１１…ヘッドホン端子、１２…オーディオ再生装置、１３…ＬＣＤパネル、１４…ＣＰＵ、１５…入力デバイス、１６…ＳＤＲＡＭ、１７…フラッシュメモリ、１８…ＨＤＤ、２２…ＨＯＬＤキー、２３…音量調節ダイヤル、２４…早送りキー、２５…再生・一時停止キー、２６…巻き戻しキー、２７…十字キー、２７ａ…十字上キー、２７ｂ…十字左キー、２７ｃ…十字下キー、２７ｄ…十字右キー、２７ｅ…ＥＮＴＥＲキー、２８…ＢＡＣＫキー、２９…ＶＩＥＷキー、３０…ＭＥＮＵキー、４１…入力デバイス、４２…ＬＣＤパネル、４３…ケーブル、４４…ヘッドホン端子
【図１】
0004412269.tif 000002
【図２】
0004412269.tif 000003
【図３】
0004412269.tif 000004
【図４】
0004412269.tif 000005
【図５】
0004412269.tif 000006
【図６】
0004412269.tif 000007
【図７】
0004412269.tif 000008
【図８】
0004412269.tif 000009
【図９】
0004412269.tif 000010
【図１０】
0004412269.tif 000011
【図１１】
0004412269.tif 000012
【図１２】
0004412269.tif 000013
【図１３】
0004412269.tif 000014
【図１４】
0004412269.tif 000015
【図１５】
0004412269.tif 000016
【図１６】
0004412269.tif 000017
【図１７】
0004412269.tif 000018
【図１８】
0004412269.tif 000019